(57)【特許請求の範囲】
【請求項１】
高電圧が印加されるチャージ線を内部に位置される細長い箱状のチャージャケースと、このチャージャケースの開口部を横断するように架設されて記録シートの案内とチャージャケースへの内部進入を防止する細いテグス線とを備える荷電装置において、前記テグス線は、前記チャージャケースのフランジ部に形成する多数の引掛け溝に対して、少なくともひとつ以上の間隔をもって互いに重なり合わないように千鳥状に配置される複数本のテグス線で構成されることを特徴とする荷電装置。
【請求項２】
前記テグス線はひとつづつ間隔をあけた状態の前記引掛け溝に掛けられる２本のテグス線からなり、これらのテグス線の両端部はチャージャケースに設けられる複数の固定ねじに独立的にそれぞれ固定されることを特徴とする請求項１記載の荷電装置。
【請求項３】
前記荷電装置は前記記録シートであるマスターシートの表面に帯電を行う製版機の荷電装置であることを特徴とする請求項１または請求項２記載の荷電装置。
【発明の詳細な説明】
【０００１】
【発明の属する技術分野】
本発明は記録シートの表面に帯電を行う荷電装置に関し、特に製版機の荷電器に適した荷電装置構造に関する。
【０００２】
【背景技術】
周知のように、例えば製版機の荷電器などにおいては、図５に示すように、高電圧が印加されるチャージ線Ａを１面開放の金属製チャージャケースＢの内部に位置し、マスターシートＸ（記録シート）の表面に帯電を行う。
【０００３】
また、この荷電装置においては、前述したチャージャケースＢの入口に、マスターシートＸの案内とチャージ線Ａの保護とを兼ねた細いテグス線Ｄを張架している。このテグス線Ｄの線径が太いと、マスターシートＸ表面へのイオンの到達が不均一となるため、実用上、同テグス線Ｄの線径は「０．０６」号以下のものに制限されるが、このように細いテグス線Ｄは非常に切断し易い。
【０００４】
【発明が解決しようとする課題】
ところで、最近の製版機においては、酸化亜鉛紙で構成されていたマスターシートＸの代わりに、アルミベースや裏面に導電材をコーティングしたフィルムベースのマスターシートＸが用いられる傾向にあるけれども、酸化亜鉛紙のものに比較して、これらの新たなマスターシートＸは機械的な剛性が高い。
このため、剛性のある新たなマスターシートＸにより細いテグス線Ｄが切断される事故が起きている。
【０００５】
しかし、テグス線Ｄが切断すると、マスターシートＸがチャージャケースＢの内部に侵入し、導電性のマスターシートＸがチャージ線Ａに接触し、短絡による火災事故が発生する危険がある。
【０００６】
本発明の目的は、以上に述べたような従来の荷電装置の問題に鑑み、簡単な構造で、しかもテグス線が切断しても記録シートとチャージ線の短絡事故が起きない荷電装置構造を得るにある。
【０００７】
【課題を解決するための手段】
この目的を達成するため、本発明は、高電圧が印加されるチャージ線を内部に位置される細長い箱状のチャージャケースと、このチャージャケースの開口部を横断するように架設されて記録シートの案内とチャージャケースへの内部進入を防止する細いテグス線とを備える荷電装置において、前記テグス線は、前記チャージャケースのフランジ部に形成する多数の引掛け溝に対して、少なくともひとつ以上の間隔をもって互いに重なり合わないように千鳥状に配置される複数本のテグス線で構成されることを特徴とする荷電装置
を提案するものである。
【０００８】
後述する本発明の好ましい実施例の説明においては、
1)前記テグス線はひとつづつ間隔をあけた状態の前記引掛け溝に掛けられる２本のテグス線からなり、これらのテグス線の両端部はチャージャケースに設けられる複数の固定ねじに独立的にそれぞれ固定される構造、
2)前記荷電装置は前記記録シートであるマスターシートの表面に帯電を行う製版機の荷電装置
が説明される。
【０００９】
【発明の実施の形態】
以下、図１から図４に示す本発明を施された製版機の実施例を説明する。
図１は必要に応じてデジタル画像または原稿画像を処理できるデジタル製版機の全体断面を示し、外部光を遮光できる機体１の右下部にはそれぞれサイズの異なったマスターシートロールを装架できる第１給紙装置２Ａ及び第２給紙装置２Ｂが内蔵される。
【００１０】
これらの第１給紙装置２Ａ及び第２給紙装置２Ｂは、マスターシートロールを取り付けられる着脱自在な装架ドラム２ａ、マスターシートＸの先端を引き出す繰出ローラ２ｂ、同マスターシートＸを指定された長さに切断するカッター２ｃ、給紙ローラ２ｄをそれぞれ備え、切断されたマスターシートＸは第１パス３ａ及び第２パス３ｂを通って、前記第１給紙装置２Ａの上部にある給紙パス３に送り出される。
同給紙パス３の途中にはマスターシートＸに荷電を行う帯電電極ユニット４が設けられ、同帯電電極ユニット４を通ったマスターシートＸは副走査速度で調速駆動される機体１の上部中央のフィードロール５に供給される。
また、前記給紙パス３の上部には図１の紙面と直角な主操作方向に原稿画像を走査するレーザ走査ユニット６が位置され、図示を省略するコンピュータなどからのデジタル画像が同レーザ走査ユニット６からフィードロール５の表面に走査される。
【００１１】
フィードロール５に位置したマスターシートＸの表面にはフィードロール５の調速回転下にレーザ走査ユニット６から原稿画像がビーム走査され、同走査によりマスターシートＸの感光面に原稿画像が潜像化されるが、同潜像化マスターシートＸは、中間案内ユニット７を通って機体１の略中央部に略垂直向きに配置した露光台装置８に供給され、同露光台装置８から機体１の左下部にある湿式現像装置９に引き渡される。
また、機体１の左上部には原稿画像を光学的に取り込む原稿台１０が設けられ、同原稿台１０上の原稿の画像は露光光学系１１を用いて前記露光台装置８の露光台８ａの表面に投影される。即ち、図示露光光学系１１は原稿がセットされる原稿台１０を照明する照明ランプ１１ａ、原稿画像を露光台８ａの表面に結像する投影レンズ１１ｂ、ミラー１１ｃとから構成される。
【００１２】
前述した湿式現像装置９はマスターシートＸが通過される現像パレット１２上に現像液を噴出する現像液ノズル１３を有し、マスターシートＸの搬送方向に下降傾斜された前記現像パレット１２の下方には現像液を回収する現像液槽１４が位置してある。
また、前記現像パレット１２の後端部には絞りローラ装置１５が位置してあり、同絞りローラ装置１５の後述する絞りローラの回転運動によりマスターシートＸの表面の余剰の現像液が除去される。
【００１３】
原稿画像を現像されたマスターシートＸは湿式現像装置７の出口側に隣り合わされた加熱定着装置１６で乾燥されてトナー画像を定着され、機体１の左側下部に設ける排紙ローラ１７の排出運動で機体１外部の捕集トレー１８上に捕集されることになる。
【００１４】
図２に示すように、前述した帯電電極ユニット４は矢印で示す給紙パス３を挟んで対向状態におかれた略同一構造のプラス側荷電器４Ａ及びマイナス側荷電器４Ｂを備える。つまり、これらのプラス側荷電器４Ａ及びマイナス側荷電器４Ｂは対向面のみを開放された金属板製の細長いチャージャケース２１をそれぞれ有し、これらのチャージャケース２１の内部にはコロナ放電を行う２本のチャージ線２３がそれぞれ配置される。
また、対応チャージャケース２１の端面から外部に突出された各チャージ線２３の端子２３ａには高電圧発生器（図示せず）が結線され、高電圧発生器からの高電圧が各チャージ線２３に印加される。
【００１５】
前記各チャージャケース２１の開放部にはマスターシートＸの案内とチャージャケース２１の内部への侵入防止とを兼ねたテグス線が架設されるが、図示例の場合、同テグス線は実線と１点鎖線で示す２本の第１テグス線２５及び第２テグス線２７で構成される。
即ち、図３及び図４に示すように、チャージャケース２１の開口部には傾斜したフランジ部２１ａ，２１ｂが一体形成され、これらのフランジ部２１ａ，２１ｂには等ピッチの多数の引掛け溝２９が形成され、互いに重ならないように第１テグス線２５と第２テグス線２７とが開口部を横断した状態で架設される。
【００１６】
つまり、第１テグス線２５の基端部２５ａは、固定ねじ３１によりチャージャケース２１に固定された後、図４に示すように、両フランジ部２１ａ，２１ｂの最端部の引掛け溝２９に掛けられ、右フランジ部２１ｂの隣り合わない引掛け溝２９から左フランジ部２１ａに向かって矢印方向に誘導され、最終的に、その先端部２５ｂは固定ねじ３３に固定される。
また、第２テグス線２７の基端部２７ａは、前記固定ねじに対向された固定ねじ３５によりチャージャケース２１に固定された後、図４に示すように、両フランジ部２１ａ，２１ｂの最端部のものに隣り合った引掛け溝２９に掛けられ、左フランジ部２１ａの隣り合わない引掛け溝２９から右フランジ部２１ｂに向かって矢印方向に誘導されるが、第２テグス線２７の先端部２７ｂは前記固定ねじ３３に対向された固定ねじ３７に固定される。
【００１７】
図示実施例による帯電電極ユニット４は、以上のような構造であるから、給紙パス３に沿って送られるマスターシートＸはチャージャケース２１の開口部に架設される第１テグス線２５及び第２テグス線２７により案内され、チャージャケース２１の内部への侵入を防止される。
また、製版機の運転中、第１テグス線２５または第２テグス線２７のいずれかが切断してしまう場合があるが、マスターシートＸは残る第２テグス線２７または第１テグス線２５により案内されるから、障害なく、製版処理を行うことができる。
【００１８】
例えば、第１テグス線２５が切断した場合、同第１テグス線２５は緊張が緩んで切断端がチャージャケース２１の内部に垂れるが、第１テグス線２５及び第２テグス線２７は電気的な絶縁材料で構成されるので、チャージ線２３に接触しても短絡放電事故の原因となることはない。
また、この場合、第１テグス線２５が切断しても、第２テグス線２７は依然としてチャージャケース２１の開口部での緊張状態を保つため、同第２テグス線２７によりマスターシートＸは案内されることになる。
なお、切断した第１テグス線２５または第２テグス線２７の取り替えは緊急性を要しないから、メンテナンス時の観察により、切断したものがあれば、取り替えればよい。
【００１９】
なお、前記実施例の説明では、２本のテグス線を用いるものを述べたが、３本または４本のテグス線を使用することにより、使用状態での安全性は増すが、組立時の固定ねじの数が増加し、組立工程も複雑となる。
【００２０】
【発明の効果】
以上の説明から明らかなように、本発明によれば、チャージャケースの開口部に設けられて記録シート（マスターシート）を案内するテグス線を互いに重ならないように架設された複数本のテグス線で構成するから、任意のテグス線が切断しても、チャージ線への接触事故が起きることのない、構造の簡単な荷電装置を得ることができる。
【図面の簡単な説明】
【図１】本発明を施した製版機の全体断面図である。
【図２】同製版機の帯電電極ユニットの断面図である。
【図３】同帯電電極ユニットのプラス側荷電器の全体斜視図である。
【図４】同プラス側荷電器の要部拡大斜視図である。
【図５】従来の荷電装置の説明図である。
【符号の説明】
Ｘ              マスターシート
４              帯電電極ユニット
２１            チャージャケース
２１ａ，２１ｂ  フランジ部
２３            チャージ線
２５            第１テグス線
２７            第２テグス線
３１，３３      固定ねじ
【図１】
0003705205.tif 000002
【図２】
0003705205.tif 000003
【図３】
0003705205.tif 000004
【図４】
0003705205.tif 000005
【図５】
0003705205.tif 000006